(57)【特許請求の範囲】
【請求項１】
水平の姿勢に保持される柱状体であって垂直方向の下面側が開放され内部に垂直の一対の第一側壁および第二側壁が形成され前記柱状体の長手水平方向に延在する開口部を有する固定具と、
前記開口部に垂直方向からそれぞれ個別に挿入され前記固定具に着脱自在に取り付けられる別体の第一支持具および第二支持具と、
前記第一支持具または前記第二支持具の少なくともいずれか一方に固着され荷重を支持する受け具とを備えた支持装置であって、
前記固定具は、
前記第一側壁であって下方側に傾斜する第一側溝部と、
前記第二側壁であって下方側に傾斜する第二側溝部とを有し、
前記第一支持具は、
前記第一側溝部に挿入可能な第一側溝挿入部と、
前記第一側溝挿入部と相反する側に垂直方向に形成された第一側面部とを有し、
前記第二支持具は、
前記第二側溝部に挿入可能な第二側溝挿入部と、
前記第二側溝挿入部と相反する側に垂直方向に形成された第二側面部とを有し、
前記第一支持具と前記第二支持具とは、前記固定具の前記開口部内において、前記第一支持具の前記第一側面部と前記第二支持具の前記第二側面部とが対向するとともに空間を有するように前記固定具に装着され、
前記固定具の長手水平方向および垂直方向と直角に交わる方向における前記空間の幅は、前記固定具の長手水平方向および垂直方向と直角に交わる方向における前記第一支持具の幅および前記第二支持具の幅より小さい支持装置。
【請求項２】
前記固定具の前記開口部は、長手水平方向に沿って前記第一支持具および前記第二支持具の長手水平方向の長さ以上の長さにて形成され、
前記第一支持具および前記第二支持具は、前記開口部の長手水平方向の異なる位置からそれぞれ挿入されて、前記第一支持具の前記第一側面部と前記第二支持具の前記第二側面部とが対向するように装着され構成されている請求項１に記載の支持装置。
【請求項３】
前記固定具は、
前記第一側溝部として、
前記第一側壁に連続する第一水平面と、前記第一水平面に連続して下方側に傾斜する第一傾斜面と、前記第一傾斜面より上方側位置に平行に形成された第二傾斜面とが形成された第一溝部と、
前記第一溝部の上部であって前記第一側壁に連続する第二水平面と、前記第二水平面に連続して下方側に傾斜する第三傾斜面と、前記第三傾斜面より上方側位置に平行に形成された第四傾斜面とが形成された第二溝部とを有し、
前記第二側溝部として、
前記第二側壁に連続する第三水平面と、前記第三水平面に連続して下方側に傾斜する第五傾斜面と、前記第五傾斜面より上方側位置に平行に形成された第六傾斜面とが形成された第三溝部と、
前記第三溝部の上部であって前記第二側壁に連続する第四水平面と、前記第四水平面に連続して下方側に傾斜する第七傾斜面と、前記第七傾斜面より上方側位置に平行に形成された第八傾斜面とが形成された第四溝部とを有し、
前記第一支持具は、
前記第一側溝挿入部として、
前記第一溝部の前記第一傾斜面と当接可能な第一接面と、前記第一接面に連続して前記第一溝部の前記第一水平面と当接可能な第二接面と、前記第二接面に連続して前記開口部の前記第一側壁に当接可能な第三接面と、前記第二傾斜面と当接可能な第四接面とが形成された第一溝挿入部と、
前記第一溝挿入部の上部であって、前記第二溝部の前記第三傾斜面と当接可能な第五接面と、前記第五接面に連続して前記第二溝部の前記第二水平面と当接可能な第六接面と、前記第六接面に連続して前記開口部の前記第一側壁に当接可能な第七接面と、前記第四傾斜面と当接可能な第八接面とが形成された第二溝挿入部とを有し、
前記第一側面部は、前記第一溝挿入部および前記第二溝挿入部と相反する側に形成され、
前記固定具の前記開口部の外部に前記第一側面部および前記第三接面が延在して形成された第一延在部とを有し、
前記第二支持具は、
前記第二側溝挿入部として、
前記第三溝部の前記第五傾斜面と当接可能な第九接面と、前記第九接面に連続して前記第三溝部の前記第三水平面と当接可能な第十接面と、前記第十接面に連続して前記開口部の前記第二側壁に当接可能な第十一接面と、前記第六傾斜面と当接可能な第十二接面とが形成された第三溝挿入部と、
前記第三溝挿入部の上部であって、前記第四溝部の前記第七傾斜面と当接可能な第十三接面と、前記第十三接面に連続して前記第四溝部の前記第四水平面と当接可能な第十四接面と、前記第十四接面に連続して前記開口部の前記第二側壁に当接可能な第十五接面と、前記第八傾斜面と当接可能な第十六接面とが形成された第四溝挿入部とを有し、
前記第二側面部は、前記第三溝挿入部および前記第四溝挿入部と相反する側に形成され、
前記固定具の前記開口部の外部に前記第二側面部および前記第十一接面が延在して形成された第二延在部とを有し、
前記受け具は、前記第一支持具の前記第一延在部または前記第二支持具の前記第二延在部の少なくともいずれか一方の下部に固着されている請求項１または請求項２に記載の支持装置。
【請求項４】
前記第一支持具の前記第一側面部と前記第二支持具の前記第二側面部とは対向するように前記固定具に装着された際に、
前記第一支持具と前記固定具の前記第一側壁と、さらに、前記第二支持具と前記固定具の前記第二側壁とを当接して保持する保持具を備えた請求項１または請求項２に記載の支持装置。
【請求項５】
前記第一支持具の前記第一側面部と前記第二支持具の前記第二側面部とは対向するように前記固定具に装着された際に、
前記第一支持具の前記第三接面と前記固定具の前記第一側壁と、さらに、前記第二支持具の前記第十一接面と前記固定具の前記第二側壁とを当接して保持する保持具を備えた請求項３に記載の支持装置。
【請求項６】
前記保持具は、前記第一支持具の前記第一延在部の前記第一側面部と、前記第二支持具の前記第二延在部の前記第二側面部との間に挿入する挿入部と、前記第一延在部の前記第三接面と前記第二延在部の前記第十一接面とを挟持する挟持部とを備えた請求項５に記載の支持装置。
【請求項７】
前記保持具は、前記第一支持具の前記第一延在部の前記第一側面部、または、前記第二支持具の前記第二延在部の前記第二側面部のいずれか一方に形成されるとともに外側に付勢するボールプランジャにて成る請求項５に記載の支持装置。
【請求項８】
前記保持具は、前記第一支持具の前記第一延在部および前記第二支持具の前記第二延在部の外周を取り囲むように形成された外壁部と、前記第一支持具の前記第一延在部の前記第三接面と前記外壁部とを連結する第一連結部と、前記第二支持具の前記第二延在部の前記第十一接面と前記外壁部とを連結する第二連結部とを備えた請求項５に記載の支持装置。
【請求項９】
前記固定具には、前記開口部の上端部に外部から電源を送電する配線部を有し、
前記開口部に垂直方向から挿入し前記固定具に着脱自在に取り付けられ、前記配線部に接触して前記固定具の前記開口部から外部に電源を引き出す電源支持具を備えた請求項１から請求項８のいずれか１項に記載の支持装置。
【請求項１０】
前記電源支持具は、上端に形成され前記配線部と接触するスプリング電極部と、
前記スプリング電極部に接続されるとともに前記固定具の前記開口部の外部に電源を引き出すコネクタ部と、
前記第一側壁に当接する第一当接面と、
前記第二側壁に当接する第二当接面と、
前記第一当接面に形成されたバネ板部と有し、
前記バネ板部は、前記固定具の前記開口部に前記電源支持具が挿入されると、前記第一側溝部に係止されるように形成されている請求項９に記載の支持装置。
【請求項１１】
前記受け具は、電気機器部と、
前記電気機器部に前記電源支持具から電源を供給するための電源接続部とを備えた請求項９または請求項１０に記載の支持装置。
【請求項１２】
前記第一側溝部、および、前記第二側溝部の中心軸は、垂直方向とのなす傾斜角を４５度にてそれぞれ形成されている請求項１から請求項１１のいずれか１項に記載の支持装置。
【発明の詳細な説明】
【技術分野】
【０００１】
本発明は、例えば天井などの上部位置からつり下げて商品、表示物などの荷重を支持することができる支持装置に関し、特に安定的に固定できるとともに設置箇所を容易に変更できるものである。
【背景技術】
【０００２】
従来の支持装置は、ハンガーなど商品を支持することができる支持具であり、設置場所を容易に変更することができかつ安定的に固定することができるものである（例えば、特許文献１参照）。
【先行技術文献】
【特許文献】
【０００３】
【特許文献１】特開２００１−３０３７４２号公報
【発明の概要】
【発明が解決しようとする課題】
【０００４】
従来の設置場所を容易に変更できる支持装置は、横方向に設置されているため、天井などの上部位置からつり下げて使用することができないという問題点があった。
【０００５】
この発明は上記のような問題点を解決するためになされたもので、上部位置からつり下げて設置できかつ安定的に固定できるとともに設置箇所を容易に変更できる支持装置を得るものである。
【課題を解決するための手段】
【０００６】
この発明の支持装置は、
水平の姿勢に保持される柱状体であって垂直方向の下面側が開放され内部に垂直の一対の第一側壁および第二側壁が形成され前記柱状体の長手水平方向に延在する開口部を有する固定具と、
前記開口部に垂直方向からそれぞれ個別に挿入され前記固定具に着脱自在に取り付けられる別体の第一支持具および第二支持具と、
前記第一支持具または前記第二支持具の少なくともいずれか一方に固着され荷重を支持する受け具とを備えた支持装置であって、
前記固定具は、
前記第一側壁であって下方側に傾斜する第一側溝部と、
前記第二側壁であって下方側に傾斜する第二側溝部とを有し、
前記第一支持具は、
前記第一側溝部に挿入可能な第一側溝挿入部と、
前記第一側溝挿入部と相反する側に垂直方向に形成された第一側面部とを有し、
前記第二支持具は、
前記第二側溝部に挿入可能な第二側溝挿入部と、
前記第二側溝挿入部と相反する側に垂直方向に形成された第二側面部とを有し、
前記第一支持具と前記第二支持具とは、前記固定具の前記開口部内において、前記第一支持具の前記第一側面部と前記第二支持具の前記第二側面部とが対向するとともに空間を有するように前記固定具に装着され、
前記固定具の長手水平方向および垂直方向と直角に交わる方向における前記空間の幅は、前記固定具の長手水平方向および垂直方向と直角に交わる方向における前記第一支持具の幅および前記第二支持具の幅より小さいものである。
【発明の効果】
【０００７】
本発明の支持装置によれば、
上部位置からつり下げて設置できかつ安定的に固定できるとともに設置箇所を容易に変更できる。
【図面の簡単な説明】
【０００８】
【図１】この発明の実施の形態１の支持装置の構成を示す図である。
【図２】図１に示した支持装置の固定具から配線部を除いた状態の構成を示す正面図である。
【図３】図１に示した固定具の構成を示す正面図である。
【図４】図１に示した固定具の構成を示す斜視図である。
【図５】図１に示した第一支持具および第二支持具の構成の一部を示した正面図である。
【図６】図５に示した第一支持具の構成を示す側面図である。
【図７】図１に示した第一支持具の構成を示す断面図および側面図である。
【図８】図１に示した第二支持具の構成を示す側面図である。
【図９】図１に示した保持具の構成を示す図である。
【図１０】図１に示した支持装置の第一支持具の挿入方法を示した図である。
【図１１】図１に示した支持装置の保持具の装着方法を示した図である。
【図１２】図１に示した第一支持具の利用例を示す図である。
【図１３】この発明の実施の形態１の支持装置の他の保持具の構成を示す図である。
【図１４】この発明の実施の形態２の支持装置の構成を示す図である。
【図１５】図１４に示した支持装置の電源支持具の構成を示す図である。
【図１６】この発明の実施の形態２の支持装置の構成を示す図である。
【図１７】図１４および図１６に示した支持装置の装着方法を示す図である。
【発明を実施するための形態】
【０００９】
実施の形態１．
以下、本願発明の実施の形態について説明する。図１はこの発明の実施の形態１の支持装置の構成を示す正面図である。図２は図１に示した支持装置の固定具から配線部を除いた状態の構成を示す正面図である。図３は図１に示した固定具の構成を示す正面図である。図４は図１に示した固定具の構成を示す斜視図である。図５（ａ）は図１に示した第一支持具の構成の一部を示した正面図である。図５（ｂ）は図１に示した第二支持具の構成を示した正面図である。
【００１０】
図６（ａ）は図５に示した第一支持具の構成を示す左側面図である。図６（ａ）は図５に示した第一支持具の構成を示す左側面図である。図６（ｂ）は図５に示した第一支持具の構成を示す右側面図である。図７（ａ）は図１に示した第一支持具の構成を示す正面断面図である。図７（ｂ）は図１に示した第一支持具の構成を示す右側面図である。図８（ａ）は図１に示した第二支持具の構成を示す右側面図である。図８（ｂ）は図１に示した第二支持具の構成を示す左側面図である。
【００１１】
図９（ａ）は図１に示した保持具の構成を示す正面図である。図９（ｂ）は図１に示した保持具の構成を示す上面図である。図９（ｃ）は図１に示した保持具の構成を示す右側面図である。図１０は図１に示した支持装置の第一支持具の挿入方法を示した図である。図１１（ａ）は図１に示した支持装置の保持具の装着方法を示した正面図である。図１１（ｂ）は図１に示した支持装置の保持具の装着方法を示した上面図である。図１２は図１に示した第一支持具の利用例を示す斜視図である。図１３はこの発明の実施の形態１の支持装置の他の保持具の構成を示す図である。
【００１２】
図１において、支持装置１は、固定具１００と、固定具１００に挿入され空間Ｔを有して保持される第一支持具２００および第二支持具３００とにて構成されている。そして、第一支持具２００または第二支持具３００の少なくともいずれか一方、ここでは第一支持具２００に固着され荷重としてのパイプ部７００を支持する受け具４００を備えたものである。さらに、第一支持具２００および第二支持具３００を固定具１００内にて保持するための保持具５００を備える。そして、固定具１００は、金属材にて形成されており、例えばアルミ押し出し型材にて形成されている。各支持具２００、３００は、アルミ材やステンレス材などの金属材にて形成されている。
【００１３】
次に各部の詳細な構成について説明する。まず、固定具１００は、水平方向Ｘに姿勢が保持される柱状体である。そして垂直方向Ａの下面側が開放され内部に、垂直の一対の第一側壁１０１および第二側壁１０２が形成された開口部１０３を有する。そして、第一側壁１０１に連続する第一水平面１０４と、第一水平面１０４に連続して下方側に傾斜する第一傾斜面１０８と、第一傾斜面１０８より上方側位置に平行に形成された第二傾斜面１０９と、第一傾斜面１０８および第二傾斜面１０９の開口部１０３側と異なる側に第一底面１２８とが形成された第一溝部１１６を有する。
【００１４】
さらに、第一溝部１１６の上部であって第一側壁１０１に連続する第二水平面１０５と、第二水平面１０５に連続して下方側に傾斜する第三傾斜面１１０と、第三傾斜面１１０より上方側位置に平行に形成された第四傾斜面１１１と、第三傾斜面１１０および第四傾斜面１１１の開口部１０３側と異なる側に第二底面１２９とが形成された第二溝部１１７とを有する。そして、これら第一溝部１１６および第二溝部１１７が、第一側壁１０１であって下方側に傾斜する第一側溝部５に相当する。
【００１５】
さらに、第二側壁１０２に連続する第三水平面１０６と、第三水平面１０６に連続して下方側に傾斜する第五傾斜面１１２と、第五傾斜面１１２より上方側位置に平行に形成された第六傾斜面１１３と、第五傾斜面１１２および第六傾斜面１１３の開口部１０３側と異なる側に第三底面１３０とが形成された第三溝部１１８を有する。
【００１６】
さらに、第三溝部１１８の上部であって第二側壁１０２に連続する第四水平面１０７と、第四水平面１０７に連続して下方側に傾斜する第七傾斜面１１４と、第七傾斜面１１４より上方側位置に平行に形成された第八傾斜面１１５と、第七傾斜面１１４および第八傾斜面１１５の開口部１０３側と異なる側に第四底面１３１とが形成された第四溝部１１９を有する。そして、これら第三溝部１１８および第四溝部１１９が、第二側壁１０２であって下方側に傾斜する第二側溝部６に相当する。
【００１７】
さらに、固定具１００の開口部１０３には、第一側壁１０１が突出して形成される第一突出部１２３と、第二側壁１０２が突出して形成される第二突出部１２４と、第一溝部１１６が形成されている側において水平方向Ｘに突出して形成される第一鍔部１２１と、第三溝部１１８が形成されている側において水平方向Ｘに突出して形成される第二鍔部１２２とを有する。
【００１８】
さらに、固定具１００は、第一側壁１０１および第二側壁１０２の上端に形成される上端部１２５と、上端部１２５の外部側に水平方向Ｘに連続して形成される凹部１２６と、開口部１０３の上端部１２５に外部から電源を送電する配線部１２０とを有する。この配線部１２０は固定具１００の水平方向Ｘの一端側の外部コネクタ部１２７と接続されている。そして、固定具１００は、天井２につり下げ機構部３を介して凹部１２６にビス留めされて水平方向Ｘに姿勢が保持される。
【００１９】
次に、第一支持具２００は、第一溝部１１６の第一傾斜面１０８と当接可能な第一接面２０１と、第一接面２０１に連続して第一溝部１１６の第一水平面１０４と当接可能な第二接面２０２と、第二接面２０２に連続して開口部１０３の第一側壁１０１に当接可能な第三接面２０３と、第二傾斜面１０９と当接可能な第四接面２０４と、第一接面２０１および第四接面２０４の端部に形成された第一底端面２１３とが形成された第一溝挿入部２０９を有する。
【００２０】
さらに、第一溝挿入部２０９の上部であって、第二溝部１１７の第三傾斜面１１０と当接可能な第五接面２０５と、第五接面２０５に連続して第二溝部１１７の第二水平面１０５と当接可能な第六接面２０６と、第六接面２０６に連続して開口部１０３の第一側壁１０１に当接可能な第七接面２０７と、第四傾斜面１１１と当接可能な第八接面２０８と、第五接面２０５および第八接面２０８の端部に形成された第二底端面２１４とが形成された第二溝挿入部２１０を有する。そして、これら第一溝挿入部２０９および第二溝挿入部２１０が、第一側溝部５に挿入可能な第一側溝挿入部７に相当する。よって、第一側面部２１１は、第一側溝挿入部７と相反する側に垂直方向Ａに形成されることとなる。
【００２１】
さらに、第一溝挿入部２０９および第二溝挿入部２１０と相反する側に垂直方向Ａに形成され第一側面部２１１と、第一側面部２１１および第八接面２０８の上端に形成された第一上端面２１５と、固定具１００の開口部１０３の外部に第一側面部２１１および第三接面２０３が延在して形成された第一延在部２１２と、第一延在部２１２の下方に固着されている受け具４００とを有する。尚、ここでは受け具４００は第一延在部２１２と一体に形成されている。
【００２２】
次に、第二支持具３００は、第三溝部１１８の第五傾斜面１１２と当接可能な第九接面３０１と、第九接面３０１に連続して第三溝部１１８の第三水平面１０６と当接可能な第十接面３０２と、第十接面３０２に連続して開口部１０３の第二側壁１０２に当接可能な第十一接面３０３と、第六傾斜面１１３と当接可能な第十二接面３０４と、第九接面３０１および第十二接面３０４の端部に形成された第三底端面３１３とが形成された第三溝挿入部３０９を有する。
【００２３】
さらに、第三溝挿入部３０９の上部であって、第四溝部１１９の第七傾斜面１１４と当接可能な第十三接面３０５と、第十三接面３０５に連続して第四溝部１１９の第四水平面１０７と当接可能な第十四接面３０６と、第十四接面３０６に連続して開口部１０３の第二側壁１０２に当接可能な第十五接面３０７と、第八傾斜面１１５と当接可能な第十六接面３０８と、第十三接面３０５および第十六接面３０８の端部に形成された第四底端面３１４とが形成された第四溝挿入部３１０を有する。そして、これら第三溝挿入部３０９および第四溝挿入部３０９が、第二側溝部６に挿入可能な第二側溝挿入部８に相当する。よって、第二側面部３１１は、第二側溝挿入部８と相反する側に垂直方向Ａに形成されることとなる。
【００２４】
さらに、第三溝挿入部３０９および第四溝挿入部３１０と相反する側に垂直方向Ａに形成され第二側面部３１１と、第二側面部３１１および第十六接面３０８の上端に形成された第二上端面３１５と、固定具１００の開口部１０３の外部に第二側面部３１１および第十一接面３０３が延在して形成されてた第二延在部３１２とを有する。そして、第一溝部１１６および第二溝部１１７の中心軸Ｃ、および、第三溝部１１８および第四溝部１１９の中心軸Ｃは、垂直方向Ａとのなす傾斜角θを設置した状態にて好ましくは４５度となるようにそれぞれ形成されている。
【００２５】
そして、第一支持具２００と第二支持具３００とは、開口部１０３に垂直方向Ａから挿入し固定具１００の異なる位置からそれぞれ着脱自在に取り付けることができる。そして、開口部１０３内においては、第一支持具２００の第一側面部２１１と第二支持具３００の第二側面部３１１とが対向するとともに空間Ｔ（空間Ｔは図１１参照）を有するように固定具１００に装着可能に形成されている。尚、この空間Ｔは、第一支持具２００および第二支持具３００が、開口部１０３内において自由に移動できる最小限にて設定され形成されているものである。
【００２６】
そして、固定具１００の開口部１０３の水平方向Ｘの長さＬ１は、第一支持具２００の水平方向Ｘの長さＬ２および第二支持具３００の水平方向Ｘの長さＬ３の合計長さ（Ｌ２＋Ｌ３）以上の長さにて形成されている。このことより、第一支持具２００および第二支持具３００は、開口部１０３の水平方向Ｘの異なる位置からそれぞれ挿入されて、第一支持具２００の第一側面部２１１と第二支持具３００の第二側面部３１１とが対向するようにそれぞれ移動させて装着して設置することができる。
【００２７】
受け具４００には、パイプ部７００がビス７０１にて固定されている。このパイプ部７００の下端側は様々な形状にて形成することが考えられる。例えば、図１２（ａ）に示すように、マネキン７０２が設置され形成される。また、図１２（ｂ）に示すように、ディスプレイ台７０３が設置され形成される。また、図１２（ｃ）に示すように、２つの第一支持具２００を挟むようにして、表示板７０４が設置され形成される。また、図１２（ｄ）に示すように、２つの第一支持具２００を挟むようにして、意匠を有する仕切り板７０５が設置され形成される。このような様々な利用が可能であり、ここで示した以外であっても、荷重を有するものであれば同様に設置することが可能である。
【００２８】
保持具５００は、第一支持具２００の第一側面部２１１と、第二支持具３００の第二側面部３１１とが対向するように固定具１００に装着された際に、第一支持具２００の第三接面２０３と固定具１００の第一側壁１０１と、さらに、第二支持具３００の第十一接面３０３と固定具１００の第二側壁１０２とが当接して保持するように形成されている。
【００２９】
具体的には、保持具５００は、図９に示すように、第一支持具２００の第一延在部２１２の第一側面部２１１と、第二支持具３００の第二延在部３１２の第二側面部３１１との間に挿入する挿入部５０１と、第一延在部２１２の第三接面２０３と第二延在部３１２の第十一接面３０３とを挟持する挟持部５０２とにて構成されている。そして、この保持具５００はプラスティック等、撓み性を有する材質にて形成されている。
【００３０】
上記のように構成された実施の形態１の支持装置の設置方法について説明する。まず、図１に示すように、固定具１００を建物などの構造部である天井２に、つり下げ機構部３を介して水平方向Ｘの姿勢に保持されるように、固定具１００の上部に形成された凹部１２６に、ボルトやＬ字フランジを介して例えば３方向からつり下げられて固定して設置されている。尚、固定具１００の水平方向Ｘの長さＬ１が長い場合には、多数の箇所にて天井２に固定することとなる。
【００３１】
そして、固定具１００の第一突出部１２３と第一鍔部１２１との外周側、および、第二突出部１２４と第二鍔部１２２との外周側にそれぞれ沿うように天井ボード４が設置されている。よって、下面側から固定具１００（天井２の方向）を見ると、天井ボード４にて固定具１００の開口部１０３以外は遮蔽され、固定具１００の開口部１０３のみが存在するように見える。また、固定具１００の水平方向Ｘ（長手方向）の各終端部には、開口部１０３の側部を閉塞するようなエンドカバーを設置することが可能である。
【００３２】
そして、固定具１００の開口部１０３の水平方向Ｘの異なる位置から、第一支持具２００および第二支持具３００をそれぞれ挿入する。例えば、図１０に示すように、第一支持具２００を固定具１００の開口部１０３に矢印Ｂに示すように挿入する。具体的には、開口部１０３の開口側の垂直方向Ａから、第一支持具２００の第一側面部２１１を開口部１０３の第二側壁１０２に沿わすように挿入する。そして、第一支持具２００の第一上端面２１５を開口部１０３の上端部１２５側まで移動する。その後、図１に示すような、第一支持具２００の第一溝挿入部２０９および第二溝挿入部２１０を、固定具１００の第一溝部１１６および第二溝部１１７にそれぞれ挿入して保持する。
【００３３】
また、第二支持具３００においても同様に、固定具１００の開口部１０３に挿入していき、第二支持具３００の第三溝挿入部３０９および第四溝挿入部３１０を、固定具１００の第三溝部１１８および第四溝部１１９にそれぞれ挿入して保持する。
【００３４】
次に、第一支持具２００および第二支持具３００の各溝挿入部２０９、２１０、３０９、３１０を各溝部１１６、１１７、１１８、１１９に挿入した状態にて、第一支持具２００および第二支持具３００を固定具１００の開口部１０３を水平方向Ｘに移動させ、第一支持具２００の第一側面部２１１と第二支持具３００の第二側面部３１１とが対向する位置となるようにして設置する。この際、第一支持具２００の第一側面部２１１と第二支持具３００の第二側面部３１１との間には空間Ｔが設定されているため、第一支持具２００および第二支持具３００は、開口部１０３内の水平方向Ｘにおいて自由に移動できる。
【００３５】
しかしながら、第一支持具２００の第一側面部２１１と第二支持具３００の第二側面部３１１とが対向する状態に一旦設置されると、第一支持具２００または第二支持具３００に故意に水平方向Ｘに移動させる力を加えない限り、第一支持具２００または第二支持具３００に他の力が加わったとしても、第一側面部２１１と第二側面部３１１とが接触し合ったり、さらに、第一支持具２００の第一溝挿入部２０９および第二溝挿入部２１０が、固定具１００の第一溝部１１６および第二溝部１１７に当接し、第二支持具３００の第三溝挿入部３０９および第四溝挿入部３１０が、固定具１００の第三溝部１１８および第四溝部１１９に当接したりするため、第一支持具２００または第二支持具３００が開口部１０３から容易に脱落また移動することはない。
【００３６】
さらに、保持具５００を図１１に示すように、第一支持具２００および第二支持具３００の側面側からスライドさせて、保持具５００の挿入部５０１を、第一支持具２００の第一延在部２１２の第一側面部２１１と、第二支持具３００の第二延在部３１２の第二側面部３１１との空間Ｔに挿入する。そして、挟持部５０２にて、第一延在部２１２の第三接面２０３と第二延在部３１２の第十一接面３０３とを挟持するように設置する。尚、保持具５００はプラスティック等にて形成され、撓むように構成されているため、このように装着して保持することができるものである。
【００３７】
このように、保持具５００を備えることにより、第一支持具２００の第三接面２０３と固定具１００の第一側壁１０１と、さらに、第二支持具３００の第十一接面３０３と固定具１００の第二側壁１０２とを当接する。そして、保持具５００により保持しているため、第一支持具２００および第二支持具３００に横揺れおよび垂直方向Ａの突き上げが生じても、第一支持具２００および第二支持具３００は固定具１００の開口部１０３内に確実に固定されることとなる。
【００３８】
さらに、第一支持具２００の受け具４００にパイプ部７００の荷重を設置しているため、第一支持具２００の第三接面２０３、第四接面２０４、第七接面２０７、および第八接面２０８は、固定具１００の第一側壁１０１、第二傾斜面１０９、および第四傾斜面１１１にそれぞれ当接する。そして、保持具５００にて連結保持されている第二支持具３００の第十一接面３０３、第十二接面３０４、第十五接面３０７、および第十六接面３０８は、固定具１００の第二側壁１０２、第六傾斜面１１３、および第八傾斜面１１５にそれぞれ当接する。これにより、第一支持具２００および第二支持具３００の揺れなどを一層防止することできる。
【００３９】
そして、第一支持具２００および第二支持具３００を固定具１００から外す場合には、上記に示した手順と逆の手順にて、保持具５００を外し、固定具１００の開口部１０３内において、第一支持具２００および第二支持具３００を水平方向Ｘにおいて位置をずらして、固定具１００の開口部１０３から外すことができる。
【００４０】
上記のように実施の形態１の支持装置は上記に示したように構成されているため、固定具の開口部の垂直方向から挿入してつり下げ可能で、かつ、第一支持具および第二支持具を固定具に安定して固定させ、かつ、第一支持具および第二支持具を固定具から容易に着脱することが可能となる。
【００４１】
また、固定具の開口部の水平方向の長さを、第一支持具および第二支持具の合計の長さより長く形成しているため、第一支持具および第二支持具は固定具の開口部の水平方向の異なる位置から容易に設置することができる。尚、固定具の開口部の水平方向の長さが、第一支持具および第二支持具の合計の長さより短い場合には、第一支持具および第二支持具を固定具の長手方向の端部から開口部にスライドさせて挿入して設置することが可能である。
【００４２】
また、第一支持具の第三接面と固定具の第一側壁と、さらに、第二支持具の第十一接面と固定具の第二側壁とを当接して保持する保持具を備えたので、第一支持具および第二支持具を固定具の開口部内に確実に保持することができる。
【００４３】
また、その保持具を、第一支持具の第一延在部の第一側面部と、第二支持具の第二延在部の第二側面部との間に挿入する挿入部と、第一延在部の第三接面と第二延在部の第十一接面とを挟持する挟持部とにて構成したため、容易に作成することができ、低コストとなる。
【００４４】
尚、本実施の形態１においては、配線部１２０および外部コネクタ部１２７などを備える例を示したが、本実施の形態１においては、この配線部１２０および外部コネクタ部１２７などは利用していない。また、配線部１２０および外部コネクタ部１２７を備えていなくとも、本実施の形態１は同様に構成することができ、同様の効果を奏することができる。
【００４５】
また、受け具４００を第一支持具２００に備える例を示したが、これに限られることはなく、第二支持具３００に受け具４００を備えるように構成してもよい。
【００４６】
また、固定具１００の開口部１０３内においては、第一溝部１１６および第二溝部１１７と、第三溝部１１８および第四溝部１１９とは鏡対称にて形成されている。このため、第一支持具２００を第三溝部１１８および第四溝部１１９側に設置、第二支持具３００を第一溝部１１６および第二溝部１１７側に設置することも可能であり、同様の効果を奏することができる。
【００４７】
また、上記実施の形態１においては、挿入部５０１および挟持部５０２を有する保持具５００を備える例を示したが、これに限られることはなく、例えば図１３に示すように、第一支持具２００の第一延在部２１２および第二支持具３００Ａの第二延在部３１２Ａ（但し、第二支持具３００Ａは、当該第二延在部３１２Ａのみが上記示した実施の形態１の第二延在部３１２より、垂直方向Ａに長く形成されている）の外周を取り囲むように形成された保持具の外壁部としてのパイプ部５０３に、第一支持具２００の第一延在部２１２の第三接面２０３と第一挟持板５０６を介して連結する例えばビスにて構成された第一連結部５０４と、第二支持具３００の第二延在部３１２Ａの第十一接面３０３と第二挟持板５０７連結する例えばビスにて構成された第二連結部５０５とを備える。そして、このパイプ部５０３は荷重としても機能する。
【００４８】
このように保持具としてのパイプ部５０３を設置すれば、上記実施の形態１と同様に、第一支持具の第三接面と固定具の第一側壁と、さらに、第二支持具の第十一接面と固定具の第二側壁とを当接して保持することができる。よって、上記実施の形態１と同様の効果を奏することが可能となる。また、パイプ部５０３を荷重と兼ねることができる。
【００４９】
実施の形態２．
図１４はこの発明の実施の形態２の支持装置の固定具および電源支持具の構成を示す図である。図１５（ａ）は図１４に示した支持装置の電源支持具の構成を示す正面図である。図１５（ｂ）は図１４に示した支持装置の電源支持具の構成を示す側面図である。図１６（ａ）はこの発明の実施の形態２の支持装置の固定具、第一支持具、第二支持具、電気機器部の構成を示す背面図である。図１６（ｂ）はこの発明の実施の形態２の支持装置の第一支持具、第二支持具、電気機器部の構成を示す斜視図である。図１７は図１４および図１６に示した支持装置の装着方法を示す図である。
【００５０】
図において、上記実施の形態１と同様の部分は同一符号を付して説明を省略する。本実施の形態２は、新たに、電源支持具６００を備え、受け具を電気機器部４０１にて構成するものである。図１４および図１５に示すように、電源支持具６００は、固定具１００の開口部１０３に垂直方向Ａから挿入し、固定具１００に着脱自在に取り付けられ、配線部１２０に接触して固定具１００の開口部１０３から外部に電源を引き出すものである。
【００５１】
そして、電源支持具６００は、配線部１２０と接触するスプリング電極部６０１が上端に２箇所形成されている。さらに、スプリング電極部６０１に接続されるとともに固定具１００の開口部１０３の外部に電源を引き出すコネクタ部６０２と、第一側壁１０１に当接する第一当接面６０３と、第二側壁１０２に当接する第二当接面６０４と、第一当接面６０３の２箇所に形成されたバネ板部６０５と有している。そして、バネ板部６０５は、固定具１００の開口部１０３に電源支持具６００が挿入されると、第一溝部１１６に係止されるように形成されている。
【００５２】
そして、第一支持具２００Ｂおよび第二支持具３００Ｂは、固定具１００の開口部１０３内における構成は上記実施の形態１と同様であり、異なる部分は固定具１００の開口部１０３外における構成である。第一支持具２００Ｂの受け具を、スポットライトにてなる電気機器部４０１とし、電気機器部４０１に電源支持具６００から電源を供給するための電源接続部４０２を備えている。また、第二支持具３００Ｂの第二延在部３１２Ｂの第二側面部３１１には、外側に付勢する保持具としてのボールプランジャ５０８が形成されている。また、第一支持具２００Ｂの第一延在部２１２Ｂの第一側面部２１１には、このボールプランジャ５０８を位置決めするための凹部５０９が形成されている。
【００５３】
上記のように構成された実施の形態２の支持装置１の設置方法について説明する。まず、上記実施の形態１と同様に固定具１００を設置する。この際、外部コネクタ部１２７には、外部から電源が供給できるように設置されている。そして、図１６（ｂ）に示すように、第一支持具２００Ｂおよび第二支持具３００Ｂを、固定具１００の開口部１０３の水平方向Ｘの異なる位置からそれぞれ挿入する。そして、上記実施の形態１と同様に、第一支持具２００Ｂおよび第二支持具３００Ｂの各溝挿入部２０９、２１０、３０９、３１０を各溝部１１６、１１７、１１８、１１９にそれぞれ挿入する。
【００５４】
次に、第一支持具２００Ｂの第一側面部２１１と第二支持具３００Ｂの第二側面部３１１とが対向するとともに空間Ｔを有するように水平方向Ｘに移動して装着する。この際、第二支持具３００Ｂのボールプランジャ５０８が第一支持具２００Ｂの凹部５０９にて位置決めされるとともに、第一支持具２００Ｂを外側に付勢するため（第二支持具３００Ｂが外側に付勢しているとも考えられる）、第一支持具２００Ｂの第一側面部２１１と第二支持具３００Ｂの第二側面部３１１とが対向するとともに空間Ｔを保持した状態に設置することとなる。
【００５５】
次に、この第一支持具２００Ｂおよび第二支持具３００Ｂが挿入されている箇所と異なる固定具１００の開口部１０３に、図１４および図１７（ａ）に示すように、電源支持具６００を固定具１００の開口部１０３の下方側から垂直方向Ａに挿入し、電源支持具６００のスプリング電極部６０１を固定具１００の上端部１２５に形成された配線部１２０と接触させる。そして、図１７（ｂ）に示すように、第一支持具２００Ｂの電源接続部４０２を、電源支持具６００のコネクタ部６０２に接続する。よって、電気機器部４０１に電源が供給され、スポットライトを点灯することができる。
【００５６】
上記のように構成された実施の形態２の支持装置によれば、上記実施の形態１と同様の効果を奏するのはもちろんのこと、電源支持具を備えることにより、固定具の開口部から受け具の電気機器部に電源を供給することができる。また、保持具をボールプランジャにて構成しているため、第一支持具および第二支持具を固定具に容易に保持が可能となる。
【００５７】
尚、上記実施の形態２においては、電気機器部としてスポットライトの例を示したが、これに限られることはなく、電源が必要であり、受け具として設置可能な電気機器部であればどのようなものでも上記実施の形態２と同様に設置可能であり、同様の効果を奏することができる。例えば、画面表示装置（ＬＥＤディスプレイ）などを設置することが可能である。
【００５８】
尚、本発明は、その発明の範囲内において、各実施の形態を自由に組み合わせたり、各実施の形態を適宜、変形、省略することが可能である。
【符号の説明】
【００５９】
１  支持装置、２  天井、３  つり下げ機構部、４  天井ボード、５  第一側溝部、
６  第二側溝部、７  第一側溝挿入部、８  第二側溝挿入部、１００  固定具、
１０１  第一側壁、１０２  第二側壁、１０３  開口部、１０４  第一水平面、
１０５  第二水平面、１０６  第三水平面、１０７  第四水平面、１０８  第一傾斜面、１０９  第二傾斜面、１１０  第三傾斜面、１１１  第四傾斜面、１１２  第五傾斜面、１１３  第六傾斜面、１１４  第七傾斜面、１１５  第八傾斜面、１１６  第一溝部、
１１７  第二溝部、１１８  第三溝部、１１９  第四溝部、１２０  配線部、
１２１  第一鍔部、１２２  第二鍔部、１２３  第一突出部、１２４  第二突出部、
１２５  上端部、１２６  凹部、１２７  外部コネクタ部、１２８  第一底面、
１２９  第二底面、１３０  第三底面、１３１  第四底面、２００  第一支持具、
２００Ｂ  第一支持具、２０１  第一接面、２０２  第二接面、２０３  第三接面、
２０４  第四接面、２０５  第五接面、２０６  第六接面、２０７  第七接面、
２０８  第八接面、２０９  第一溝挿入部、２１０  第二溝挿入部、
２１１  第一側面部、２１２  第一延在部、２１３  第一底端面、２１４  第二底端面、２１５  第一上端面、３００  第二支持具、３００Ａ  第二支持具、
３００Ｂ  第二支持具、３０１  第九接面、３０２  第十接面、３０３  第十一接面、
３０４  第十二接面、３０５  第十三接面、３０６  第十四接面、３０７  第十五接面、３０８  第十六接面、３０９  第三溝挿入部、３１０  第四溝挿入部、
３１１  第二側面部、３１２  第二延在部、３１２Ａ  第二延在部、
３１２Ｂ  第二延在部、３１３  第三底端面、３１４  第四底端面、
３１５  第二上端面、４００  受け具、４０１  電気機器部、４０２  電源接続部、
５００  保持具、５０１  挿入部、５０２  挟持部、５０３  パイプ部、
５０４  第一連結部、５０５  第二連結部、５０６  第一挟持板、５０７  第二挟持板、５０８  ボールプランジャ、５０９  凹部、６００  電源支持具、
６０１  スプリング電極部、６０２  コネクタ部、６０３  第一当接面、
６０４  第二当接面、６０５  バネ板部、７００  パイプ部、７０１  ビス、
７０２  マネキン、７０３  ディスプレイ台、７０４  仕切り板、７０５  表示板、
Ｘ  水平方向、Ａ  垂直方向、Ｂ  矢印、Ｃ  中心軸。
【図１】
0006027579.tif 000002
【図２】
0006027579.tif 000003
【図３】
0006027579.tif 000004
【図４】
0006027579.tif 000005
【図５】
0006027579.tif 000006
【図６】
0006027579.tif 000007
【図７】
0006027579.tif 000008
【図８】
0006027579.tif 000009
【図９】
0006027579.tif 000010
【図１０】
0006027579.tif 000011
【図１１】
0006027579.tif 000012
【図１２】
0006027579.tif 000013
【図１３】
0006027579.tif 000014
【図１４】
0006027579.tif 000015
【図１５】
0006027579.tif 000016
【図１６】
0006027579.tif 000017
【図１７】
0006027579.tif 000018